(57)【要約】【課題】降雪の状態にバラツキを生ぜず、平面内で均一な降雪の状態を作り出すことができる降雪装置を提供すること。【解決手段】降雪機構Ｂを、雪材料Ｓｎの通過空間を均一に形成した整流板４、整流板４を通過した雪材料Ｓｎを受け入れる、底板を雪材料Ｓｎの通過空間を均一に形成した降雪板６で構成したバンク５並びに整流板４及びバンク５を振動させる振動機７で構成する。【選択図】図１
2019045424.tif 000002
【特許請求の範囲】
【請求項１】
雪材料供給機構から供給される雪材料を降雪機構を介して散布するようにした降雪装置であって、前記降雪機構を、雪材料の通過空間を均一に形成した整流板と、該整流板を通過した雪材料を受け入れる、底板を雪材料の通過空間を均一に形成した降雪板で構成したバンクと、整流板及びバンクを振動させる振動機とで構成したことを特徴とする降雪装置。
【請求項２】
前記雪材料供給機構を、雪材料を貯留するホッパと、雪材料を搬送する送風機と、雪搬送管とで構成したことを特徴とする請求項１に記載の降雪装置。
【請求項３】
前記整流板及び降雪板を、パンチングメタル又は金網で構成したことを特徴とする請求項１又は２に記載の降雪装置。
【請求項４】
前記降雪板の下方に、降雪に対して水又は蒸気を散布する加湿機構を設けたことを特徴とする請求項１、２又は３に記載の降雪装置。
【発明の詳細な説明】
【技術分野】
【０００１】
本発明は、降雪装置に関し、例えば、降雪に関する環境試験等を行うための降雪装置に関するものである。
【背景技術】
【０００２】
従来、降雪に関する環境試験等を行うための降雪装置として、気温が氷点下になるように冷却した空間にノズルから水を噴射し、氷結させて疑似雪を生成させる方式のものが提案されている（例えば、特許文献１参照。）。
【先行技術文献】
【特許文献】
【０００３】
【特許文献１】特開２０１５−１４１１１２号公報
【発明の概要】
【発明が解決しようとする課題】
【０００４】
ところで、ノズルから水を噴射する方式の降雪装置においては、ノズルの配置によって降雪の状態にバラツキが生じやすく、正確な試験結果が得られないという問題があった。
【０００５】
本発明は、上記従来のノズルから水を噴射する方式の降雪装置の有する問題点に鑑み、降雪の状態にバラツキを生ぜず、平面内で均一な降雪の状態を作り出すことができる降雪装置を提供することを目的とする。
【課題を解決するための手段】
【０００６】
上記目的を達成するため、本発明の降雪装置は、雪材料供給機構から供給される雪材料を降雪機構を介して散布するようにした降雪装置であって、前記降雪機構を、雪材料の通過空間を均一に形成した整流板と、該整流板を通過した雪材料を受け入れる、底板を雪材料の通過空間を均一に形成した降雪板で構成したバンクと、整流板及びバンクを振動させる振動機とで構成したことを特徴とする。
【０００７】
この場合において、前記雪材料供給機構を、雪材料を貯留するホッパと、雪材料を搬送する送風機と、雪搬送管とで構成することができる。
【０００８】
また、前記整流板及び降雪板を、パンチングメタル又は金網で構成することができる。
【０００９】
また、前記降雪板の下方に、降雪に対して水又は蒸気を散布する加湿機構を設けることができる。
【発明の効果】
【００１０】
本発明の降雪装置によれば、雪材料供給機構から供給される雪材料を降雪機構を介して散布するようにした降雪装置であって、前記降雪機構を、雪材料の通過空間を均一に形成した整流板と、該整流板を通過した雪材料を受け入れる、底板を雪材料の通過空間を均一に形成した降雪板で構成したバンクと、整流板及びバンクを振動させる振動機とで構成することにより、簡単な構造の装置で、降雪の状態にバラツキを生ぜず、平面内で均一な降雪の状態を作り出すことができる。
【００１１】
また、前記雪材料供給機構を、雪材料を貯留するホッパと、雪材料を搬送する送風機と、雪搬送管とで構成することにより、簡単な構造の装置で、雪材料を降雪機構に供給することができる。
【００１２】
また、前記整流板及び降雪板を、パンチングメタル又は金網で構成することにより、汎用の部材を用いることができる。
【００１３】
また、前記降雪板の下方に、降雪に対して水又は蒸気を散布する加湿機構を設けることにより、湿り雪を生成することができる。
【図面の簡単な説明】
【００１４】
【図１】本発明の降雪装置の一実施例を示す説明図である。
【発明を実施するための形態】
【００１５】
以下、本発明の降雪装置の実施の形態を、図面に基づいて説明する。
【００１６】
図１に、本発明の降雪装置の一実施例を示す。
この降雪装置は、雪材料供給機構Ａから供給される雪材料Ｓｎを降雪機構Ｂを介して散布するようにしたものであって、雪材料供給機構Ａを、雪材料製造装置（図示省略）で製造された雪材料Ｓｎを貯留するホッパ１、雪材料Ｓｎを気体搬送するための送風機２及びフレキシブルホース等からなる雪搬送管３で構成し、降雪機構Ｂを、雪材料Ｓｎの通過空間を均一に形成した整流板４、整流板４を通過した雪材料Ｓｎを受け入れる、底板を雪材料Ｓｎの通過空間を均一に形成した降雪板６で構成したバンク５並びに整流板４及びバンク５を振動させる振動機７で構成するようにしている。
【００１７】
この場合において、雪材料供給機構Ａ及び降雪機構Ｂは、気温が氷点下になるように冷却した環境下に設置するとともに、雪材料製造装置で製造する雪材料Ｓｎは、粉雪（乾燥したサラサラした雪）状のものとすることが好ましく、気体搬送に用いる空気は、乾燥した空気を使用することにより、雪材料Ｓｎの装置に対する氷着を防止するようにする。
【００１８】
雪搬送管３の出口は、整流板４に対して雪材料Ｓｎを、均一に散布することができるように、整流板４の上方に可動に設けるようにしたり、複数を整流板４の上方に均等に位置させるようにすることができる。
【００１９】
また、整流板４及び降雪板６は、雪材料Ｓｎの通過空間を均一に形成した、例えば、パンチングメタルや金網で構成するができる。
【００２０】
また、振動機７は、バンク５を水平方向に振動させることによって、バンク５と一体に設けられた整流板４及び降雪板６が共に振動するようにする横振動機で構成することができる。
振動機７は、ＯＮ−ＯＦＦ及び振動の大きさを任意の大きさに調節できるようにすることが好ましい。
これにより、降雪の状態に多様性を持たせることができるとともに、雪材料Ｓｎの装置に対する氷着を防止するようにすることができる。
なお、必要に応じて、バンク５を鉛直方向に振動させる縦振動機を設けることもできる。
【００２１】
また、バンク５の下方、すなわち、降雪板６の下方に、降雪に対して水Ｗａ又は蒸気Ｓｔを散布する加湿機構Ｃを設けることにより、湿り雪を生成することができる。
加湿機構Ｃは、加湿ヘッダ８及び加湿ヘッダ８に配設した加湿ノズル９で構成するようにしている。
【００２２】
この降雪装置は、雪材料供給機構Ａから供給される雪材料Ｓｎを、降雪機構Ｂの振動機７によって振動される雪材料Ｓｎの通過空間を均一に形成した整流板４及び降雪板６を介して散布するようにすることにより、簡単な構造の装置で、降雪の状態にバラツキを生ぜず、平面内で均一な降雪の状態を作り出すことができる。
【００２３】
以上、本発明の降雪装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の降雪装置は、降雪の状態にバラツキを生ぜず、平面内で均一な降雪の状態を作り出すことができる特性を有していることから、降雪に関する環境試験等を行うための降雪装置の用途に好適に用いることができる。
【符号の説明】
【００２５】
Ａ  雪材料供給機構
Ｂ  降雪機構
Ｃ  加湿機構
Ｓｎ  雪材料
Ｓｔ  蒸気
Ｗａ  水
１  ホッパ
２  送風機
３  雪搬送管
４  整流板
５  バンク
６  降雪板
７  振動機
８  加湿ヘッダ
９  加湿ノズル
【図１】
2019045424.tif 000003